(57)【特許請求の範囲】
【請求項１】
原稿を光学的に読み取って電気信号に変換する画像センサと、
原稿に照明光を照射する光源と、
光源への電力供給が制御可能な電源と、
電源に点灯開始指示信号を出力する制御手段と、
制御手段が点灯開始指示信号を出力した時点から画像センサの出力信号の時間変化を監視して、点灯開始指示信号を出力した時点から光源の光量が所定のしきい値に達するまでの時間である光量立ち上げ時間を計測する光量計測手段と、
光源の温度を計測する光源温度計測手段とを備え、
制御手段は、初期動作時において光量計測手段によって計測される光量立ち上げ時間に、光源温度計測手段によって計測される温度測定結果を参照して、初期動作時に計測した光量立ち上げ時間に補正を加えて、点灯開始指示信号を出力するタイミングを決定することを特徴とする画像読取装置。
【請求項２】
原稿を光学的に読み取って電気信号に変換する画像センサと、
原稿に照明光を照射する光源と、
光源の光量を検出する光源センサと、
光源への電力供給が制御可能な電源と、
電源に点灯開始指示信号を出力する制御手段と、
制御手段が点灯開始指示信号を出力した時点から光源センサの出力信号の時間変化を監視して、点灯開始指示信号を出力した時点から光源の光量が所定のしきい値に達するまでの時間である光量立ち上げ時間を計測する光量計測手段と、
光源の温度を計測する光源温度計測手段とを備え、
制御手段は、初期動作時において光量計測手段によって計測される光量立ち上げ時間に、光源温度計測手段によって計測される温度測定結果を参照して、初期動作時に計測した光量立ち上げ時間に補正を加えて、点灯開始指示信号を出力するタイミングを決定することを特徴とする画像読取装置。
【請求項３】
制御手段は、原稿読取動作以外のタイミングで、定期または不定期に光源を予熱点灯することを特徴とする請求項１または２記載の画像読取装置。
【請求項４】
光源の温度を監視するための光源温度計測手段と、
光源温度の計測結果に基づいて、予熱点灯時の電流を変更する電流制御手段とを備えることを特徴とする請求項３記載の画像読取装置。
【請求項５】
光量計測手段による計測結果に基づいて、予熱点灯時の電流を変更する電流制御手段を備えることを特徴とする請求項３記載の画像読取装置。
【請求項６】
制御手段は、原稿読取動作の前段階で光源を予熱点灯させることを特徴とする請求項３記載の画像読取装置。
【発明の詳細な説明】
【０００１】
【発明の属する技術分野】
本発明は、複写機やファクシミリ装置などに応用でき、原稿を読み取って電気信号に変換する画像読取装置に関する。
【０００２】
【従来の技術】
特開平６−１７５４７３号には、露光ランプを含む光学系で原稿を走査し、感光体上に原稿の静電潜像を形成して、現像、転写を行う卓上複写機が記載されており、露光ランプの点灯後、光学系の走査開始前に露光ランプの光量を検出して、検出結果から走査開始タイミングを決定している。
【０００３】
特開平６−１３０５１２号には、原稿を露光走査する露光ランプの点灯電圧および点灯開始時間を制御する際に、露光ランプに点灯電圧を印加させてから立上りが完了するまでの立上り時間に基づいて、点灯電圧を印加させるタイミングを可変とする露光制御方法が記載されている。
【０００４】
【発明が解決しようとする課題】
特開平６−１７５４７３号では、露光ランプの光量立ち上げ時間に応じて光学系の走査開始タイミングを変更しているため、露光ランプや電源等のばらつき、商用電源の電圧変動、環境温度の変化、連続動作時における光源の温度変化などに起因して光量立ち上げ時間が遅くなった場合、走査開始タイミングも遅くなる。その結果、画像読取に必要な時間が長くなってしまい、特に原稿自動交換装置等を用いた連続読取において画像読取速度が遅くなってしまう。
【０００５】
特開平６−１３０５１２号では、露光ランプの点灯電圧に応じて点灯開始タイミングを変更するに過ぎないため、露光ランプや電源等のばらつき、商用電源の電圧変動、環境温度の変化、連続動作時における光源の温度変化などに起因して光量立ち上げ時間が遅くなった場合には何ら対処できない。
【０００６】
本発明の目的は、種々の変動要因に対して安定した画像読取を実施できる画像読取装置を提供することである。
【０００７】
【課題を解決するための手段】
本発明は、原稿を光学的に読み取って電気信号に変換する画像センサと、
原稿に照明光を照射する光源と、
光源への電力供給が制御可能な電源と、
電源に点灯開始指示信号を出力する制御手段と、
制御手段が点灯開始指示信号を出力した時点から画像センサの出力信号の時間変化を監視して、点灯開始指示信号を出力した時点から光源の光量が所定のしきい値に達するまでの時間である光量立ち上げ時間を計測する光量計測手段と、
光源の温度を計測する光源温度計測手段とを備え、
制御手段は、初期動作時において光量計測手段によって計測される光量立ち上げ時間に、光源温度計測手段によって計測される温度測定結果を参照して、初期動作時に計測した光量立ち上げ時間に補正を加えて、点灯開始指示信号を出力するタイミングを決定することを特徴とする画像読取装置である。
【０００８】
本発明に従えば、電源投入時などの初期化動作において光量計測手段によって光源の光量立ち上げ時間を予め計測しておいて、光源温度計測手段によって計測される温度測定結果を参照して、初期動作時に計測した光量立ち上げ時間に補正を加えて、点灯開始指示信号を出力するタイミングを決定する。
このように本発明では、計測される光源の温度に基づいて、点灯開始指示信号を出力するタイミングを変更する。光源の温度と光量立ち上がり時間とが一定の相関を持つ光源、たとえば低温ほど光量立ち上げ時間が延びる傾向を持つハロゲンランプ等を使用した場合や連続読取動作を行う場合、光源の温度を計測し、その計測結果を参照することによって、点灯開始タイミングを精度良く決定することが可能になる。したがって、ランプや電源等のばらつき、機器の個体差、部品の劣化、商用電源の電圧変動、環境温度の変化などに起因して光源の光量立ち上げ時間が変動した場合も、安定した光量で画像読取を実施でき、特に光量立ち上げ時間が延びた場合にも適切に対処できる。その結果、画像読取信号の出力レベルが安定するとともに、従来よりも点灯時間の短縮化が図られ、省エネルギーに寄与する。
【０００９】
また本発明は、原稿を光学的に読み取って電気信号に変換する画像センサと、
原稿に照明光を照射する光源と、
光源の光量を検出する光源センサと、
光源への電力供給が制御可能な電源と、
電源に点灯開始指示信号を出力する制御手段と、
制御手段が点灯開始指示信号を出力した時点から光源センサの出力信号の時間変化を監視して、点灯開始指示信号を出力した時点から光源の光量が所定のしきい値に達するまでの時間である光量立ち上げ時間を計測する光量計測手段と、
光源の温度を計測する光源温度計測手段とを備え、
制御手段は、初期動作時において光量計測手段によって計測される光量立ち上げ時間に、光源温度計測手段によって計測される温度測定結果を参照して、初期動作時に計測した光量立ち上げ時間に補正を加えて、点灯開始指示信号を出力するタイミングを決定することを特徴とする画像読取装置である。
【００１０】
本発明に従えば、電源投入時などの初期化動作において光量計測手段によって光源の光量立ち上げ時間を予め計測しておいて、光源温度計測手段によって計測される温度測定結果を参照して、初期動作時に計測した光量立ち上げ時間に補正を加えて、点灯開始指示信号を出力するタイミングを決定する。
このように本発明では、計測される光源の温度に基づいて、点灯開始指示信号を出力するタイミングを変更する。光源の温度と光量立ち上がり時間とが一定の相関を持つ光源、たとえば低温ほど光量立ち上げ時間が延びる傾向を持つハロゲンランプ等を使用した場合や連続読取動作を行う場合、光源の温度を計測し、その計測結果を参照することによって、点灯開始タイミングを精度良く決定することが可能になる。したがって、ランプや電源等のばらつき、機器の個体差、部品の劣化、商用電源の電圧変動、環境温度の変化などに起因して光源の光量立ち上げ時間が変動した場合も、安定した光量で画像読取を実施でき、特に光量立ち上げ時間が延びた場合にも適切に対処できる。その結果、画像読取信号の出力レベルが安定するとともに、従来よりも点灯時間の短縮化が図られ、省エネルギーに寄与する。
【００１１】
また、画像センサとは別個に光源センサを設けることによって、基準原稿を用意しなくても光源の光量立ち上げ時間を計測でき、さらに通常の原稿読取動作と並行して光源の光量をリアルタイムで監視できるため、最新の計測結果を用いて高精度の制御を実現できる。たとえば、点灯開始時の光源温度によって光量立ち上げ特性が変化するような光源を使用して連続読取動作を行う場合、直前の読取動作における光量計測結果を用いて点灯開始タイミングを精度良く決定することが可能になる。
【００１２】
また本発明は、制御手段は、原稿読取動作以外のタイミングで、定期または不定期に光源を予熱点灯することを特徴とする。
【００１３】
本発明に従えば、原稿読取動作以外のタイミングで、定期または不定期に光源を予熱点灯することによって、光源の温度をある程度高く維持できるため、安定した光量立ち上げ時間を確保できる。
【００１４】
たとえば光源の温度が非常に低い場合は、光量立ち上げ時間が通常の点灯開始タイミングの可変範囲を超えて非常に長くかかる。この対策として原稿読取動作の開始以前に予め光源に電流を流して光源の温度を高めておけば、原稿読取動作時に短時間で光量立ち上げが可能になる。たとえば複写機の場合、1)コピースイッチのオン→2)給紙動作開始→3)所定位置で用紙搬送停止→4)待機→5)光源点灯開始→6)原稿読取開始などの順で動作するが、光量立ち上げ時間が長くなると、光源点灯開始のタイミングを待機中に留まらず、それより前の段階に遡らせる必要が出てくる。そうすると装置全体を制御するＣＰＵ（中央処理装置）の負担が増加したり、制御が極めて複雑になる。
【００１５】
こうした対策として、1)コピースイッチのオン→2)給紙動作開始・光源点灯開始→3)所定位置で用紙搬送停止・光源消灯→4)待機→5)光源点灯開始→6)原稿読取開始などの順で動作することによって、原稿読取動作開始時での光源温度をある程度高く維持できるため、ＣＰＵの負担を増やすこと無く、安定した光量立ち上げ時間を確保できる。
【００１６】
さらに、予熱点灯時の電流値を、たとえば原稿読取時の光量と比べて５０％程度に制御することによって、光源の保温に必要以上のエネルギーを節約できるため、省エネルギーが図られ、しかも光源の定格緩和によるコスト低減が図られる。
【００１７】
また本発明は、光源の温度を監視するための光源温度計測手段と、
光源温度の計測結果に基づいて、予熱点灯時の電流を変更する電流制御手段とを備えることを特徴とする。
【００１８】
本発明に従えば、光源温度の計測結果に基づいて予熱点灯時の電流を変更することによって、光源の保温に必要以上のエネルギーを節約でき、適正な電流で予熱点灯を行うことができる。たとえばハロゲンランプを使用した場合、光量立ち上げ時間はフィラメントの温度に依存しており、光源温度がある程度高ければ短時間で安定した光量に到達できる。したがって、光源温度に応じて予熱点灯時の電流を制御することによって、消費電力の低減および光量立ち上げ時間の短縮を実現できる。
【００１９】
また本発明は、光量計測手段による計測結果に基づいて、予熱点灯時の電流を変更する電流制御手段を備えることを特徴とする。
【００２０】
本発明に従えば、光量立ち上げ時間の計測結果に基づいて予熱点灯時の電流を変更することによって、安定した光量が得られるように、適正な電流で予熱点灯を行うことができる。たとえばハロゲンランプを使用した場合、光量立ち上げ時間はフィラメントの温度に依存しており、光源温度がある程度高ければ短時間で安定した光量に到達できる。したがって、光量立ち上げ時間に応じて予熱点灯時の電流を制御することによって、消費電力の低減および光量立ち上げ時間の短縮を実現できる。
【００２１】
また本発明は、制御手段は、原稿読取動作の前段階で光源を予熱点灯させることを特徴とする。
【００２２】
本発明に従えば、原稿読取動作の開始以前に予め光源の温度を高めておけば、原稿読取動作時に短時間で光量立ち上げが可能となる。上述したように1)コピースイッチのオン→2)給紙動作開始・光源点灯開始→3)所定位置で用紙搬送停止・光源消灯→4)待機→5)光源点灯開始→6)原稿読取開始などの順で動作することによって、原稿読取動作開始時での光源温度をある程度高く維持できるため、ＣＰＵの負担を増やすこと無く、安定した光量立ち上げ時間を確保できる。
【００２３】
【発明の実施の形態】
図１は、本発明が適用可能な画像読取装置の一例を示す構成図である。ここではフラットベッド型スキャナを例として説明するが、本発明はこれに限定されない。
【００２４】
画像読取装置は、原稿設置台２と、光源３と、ミラー４，６，７と、レンズ９と、ラインセンサ１０と、Ａ／Ｄコンバータ１１と、画像処理部２０などで構成される。
【００２５】
原稿設置台２は、透明なガラス板等で構成され、上面に原稿１が載置される。原稿設置台２の一部には、主走査方向に長いシエーディング補正用の白板１２が設けられる。
【００２６】
光源３は、原稿１の幅方向に沿った棒状の光源、たとえばハロゲンランプで構成され、原稿設置台２を介して原稿１の下面に照明光を照射する。ミラー４は、原稿からの反射光をミラー６へ向かって反射する。光源３およびミラー４は、副走査方向に速度Ｖａで移動するランプユニット５に搭載される。
【００２７】
ミラー６，７は、ミラー４からの光をレンズ９へ向かって反射する機能を有し、副走査方向に速度Ｖｂ（＝Ｖａ／２）で移動するミラーユニット８に搭載される。こうしてランプユニット５およびミラーユニット８が移動しても、原稿１からラインセンサ１０までの光路長は一定に保たれる。
【００２８】
レンズ９は、ミラーユニット８からの光を集光して、原稿画像をラインセンサ１０の撮像面に結像する。ラインセンサ１０は、ＣＣＤ（電荷結合素子）等で構成され、多数の光電変換部が主走査方向に直線状に配置された撮像面を有し、クロック信号によって結像画像を走査して電気信号に変換し、画像信号を出力する。
【００２９】
Ａ／Ｄコンバータ１１は、ラインセンサ１０からの画像信号をデジタル信号に変換する。画像処理部２０は、Ａ／Ｄコンバータ１１からのデジタル画像信号に所望の処理を施して、画像印刷装置などに供給する。
【００３０】
ランプユニット５が副走査方向に移動しながら、ラインセンサ１０が主走査を行うことによって、原稿１の画像全体が読み取られ、画像処理部２０に格納される。
【００３１】
図２は、本発明の第１実施形態を示す構成図である。画像読取装置は、図１と同様に、原稿設置台２と、光源３と、ミラー４，６，７と、レンズ９と、ラインセンサ１０と、Ａ／Ｄコンバータ１１と、画像処理部２０などで構成され、さらにコピーランプ電源１３と、タイミング制御手段１４と、光量計測手段１９が設けられる。
【００３２】
コピーランプ電源１３は、光源３へ電力を供給するとともに、通電のオンオフおよび通電電流を制御する。
【００３３】
タイミング制御手段１４は、ＣＰＵによって動作する処理プログラム等で構成され、コピーランプ電源１３に光源３の点灯開始指示信号および消灯指示信号を出力する。
【００３４】
光量計測手段１９は、ＣＰＵによって動作する処理プログラム等で構成され、画像処理部２０から供給されるラインセンサ１０の出力信号を解析して光源３の光量を監視するとともに、光量の計測結果をタイミング制御手段１４へ供給する。
【００３５】
電源投入時などの初期化動作において、光源３の光量立ち上げ時間を計測する場合、ランプユニット５を白板１２付近に移動した後、光量計測手段１９はタイミング制御手段１４に点灯開始を指示し、タイミング制御手段１４はコピーランプ電源１３に点灯開始指示信号を出力し、光源３を点灯させる。すると光源３からの照明光が白板１２で反射し、ミラー４，６，７およびレンズ９を通過してラインセンサ１０に入射する。光量計測手段１９は、点灯開始指示信号を出力した時点からラインセンサ１０の出力信号の時間変化を監視し、記憶するとともに、光源３の光量がゼロから増加して所定の閾値、たとえば飽和光量の９０％に到達するまでの光量立ち上げ時間を計測する。
【００３６】
計測した光量立ち上げ時間が長ければ、光源３のウォームアップが不十分であると推定できるため、次回の原稿読取動作においてタイミング制御手段１４は点灯開始指示信号を出力するタイミングを基準タイミングより早めになるように決定する。一方、計測した光量立ち上げ時間が短ければ、光源３のウォームアップが十分であると推定できるため、次回の原稿読取動作においてタイミング制御手段１４は点灯開始指示信号を出力するタイミングを基準タイミングより遅めになるように決定する。
【００３７】
こうして光源３やコピーランプ電源１３等のばらつき、機器の個体差、部品の劣化、商用電源の電圧変動、環境温度の変化などに起因して光源３の光量立ち上げ時間が変動した場合も、安定した光量で画像読取を実施できる。
【００３８】
図３は、本発明の第２実施形態を示す構成図である。画像読取装置は、図１と同様に、原稿設置台２と、光源３と、ミラー４，６，７と、レンズ９と、ラインセンサ１０と、Ａ／Ｄコンバータ１１と、画像処理部２０などで構成され、さらにコピーランプ電源１３と、タイミング制御手段１４と、光量計測手段１９と、温度センサ１５と、温度計測手段１８が設けられる。
【００３９】
コピーランプ電源１３、タイミング制御手段１４、光量計測手段１９は図２のものと同様であり、重複説明を省く。
【００４０】
温度センサ１５は、ランプユニット５内の光源３の近傍に設置され、光源３の温度を検出する。温度計測手段１８は、ＣＰＵによって動作する処理プログラム等で構成され、温度センサ１５の検出信号に基づいて光源３の温度を監視し、光源温度の計測結果をタイミング制御手段１４へ供給する。
【００４１】
電源投入時などの初期化動作において、光源３の光量立ち上げ時間を計測する場合、ランプユニット５を白板１２付近に移動した後、光量計測手段１９はタイミング制御手段１４に点灯開始を指示し、タイミング制御手段１４はコピーランプ電源１３に点灯開始指示信号を出力し、光源３を点灯させる。すると光源３からの照明光が白板１２で反射し、ミラー４，６，７およびレンズ９を通過してラインセンサ１０に入射する。光量計測手段１９は、点灯開始指示信号を出力した時点からラインセンサ１０の出力信号の時間変化を監視し、記憶するとともに、光源３の光量がゼロから増加して所定の閾値、たとえば飽和光量の９０％に到達するまでの光量立ち上げ時間を計測する。
【００４２】
計測した光量立ち上げ時間が長ければ、光源３のウォームアップが不十分であると推定できるため、次回の原稿読取動作においてタイミング制御手段１４は点灯開始指示信号を出力するタイミングを基準タイミングより早めになるように決定する。一方、計測した光量立ち上げ時間が短ければ、光源３のウォームアップが十分であると推定できるため、次回の原稿読取動作においてタイミング制御手段１４は点灯開始指示信号を出力するタイミングを基準タイミングより遅めになるように決定する。
【００４３】
さらにタイミング制御手段１４は、温度計測手段１８による光源温度の計測結果を参照して、計測した光量立ち上げ時間に補正を加えて、点灯開始指示信号の出力タイミングを変更する。
【００４４】
こうして光源３の温度を監視することによって、点灯開始タイミングを精度良く決定することが可能になり、より安定した画像読取を実施できる。
【００４５】
図４は、本発明の第３実施形態を示す構成図である。画像読取装置は、図１と同様に、原稿設置台２と、光源３と、ミラー４，６，７と、レンズ９と、ラインセンサ１０と、Ａ／Ｄコンバータ１１と、画像処理部２０などで構成され、さらにコピーランプ電源１３と、タイミング制御手段１４と、光量計測手段１９と、光源センサ１６が設けられる。
【００４６】
コピーランプ電源１３、タイミング制御手段１４は図２のものと同様であり、重複説明を省く。
【００４７】
光源センサ１６は、ランプユニット５内の光源３の近傍に設置され、光源３の光量を検出する。光量計測手段１９は、光源センサ１６の検出信号に基づいて光源３の光量を監視するとともに、光量の計測結果をタイミング制御手段１４へ供給する。
【００４８】
電源投入時などの初期化動作において、光源３の光量立ち上げ時間を計測する場合、光量計測手段１９はタイミング制御手段１４に点灯開始を指示し、タイミング制御手段１４はコピーランプ電源１３に点灯開始指示信号を出力し、光源３を点灯させる。このとき光源センサ１６は光源３からの直接光を検出しているため、白板１２は不要となり、ランプユニット５の位置制御を省略できる。
【００４９】
次に光量計測手段１９は、点灯開始指示信号を出力した時点から光源センサ１６の出力信号の時間変化を監視するとともに、光源３の光量がゼロから増加して所定の閾値、たとえば飽和光量の９０％に到達するまでの光量立ち上げ時間を計測する。
【００５０】
計測した光量立ち上げ時間が長ければ、光源３のウォームアップが不十分であると推定できるため、次回の原稿読取動作においてタイミング制御手段１４は点灯開始指示信号を出力するタイミングを基準タイミングより早めになるように決定する。一方、計測した光量立ち上げ時間が短ければ、光源３のウォームアップが十分であると推定できるため、次回の原稿読取動作においてタイミング制御手段１４は点灯開始指示信号を出力するタイミングを基準タイミングより遅めになるように決定する。
【００５１】
こうして光源３やコピーランプ電源１３等のばらつき、機器の個体差、部品の劣化、商用電源の電圧変動、環境温度の変化などに起因して光源３の光量立ち上げ時間が変動した場合も、安定した光量で画像読取を実施できる。
【００５２】
図５は、本発明の第４実施形態を示す構成図である。画像読取装置は、図１と同様に、原稿設置台２と、光源３と、ミラー４，６，７と、レンズ９と、ラインセンサ１０と、Ａ／Ｄコンバータ１１と、画像処理部２０などで構成され、さらにコピーランプ電源１３と、タイミング制御手段１４と、電流制御手段１７が設けられる。
【００５３】
コピーランプ電源１３、タイミング制御手段１４は図２のものと同様であり、重複説明を省く。
【００５４】
タイミング制御手段１４は、原稿読取動作時の点灯および消灯だけでなく、原稿読取動作以外のタイミングで、定期または不定期に光源を予熱点灯するために光源３の点灯開始指示信号および消灯指示信号を出力する。
【００５５】
電流制御手段１７は、ＣＰＵによって動作する処理プログラム等で構成され、コピーランプ電源１３に原稿読取動作時の通電電流値および予熱点灯時の通電電流値を出力する。
【００５６】
図６は予熱点灯なしの光源動作を示すタイミングチャートであり、図７は予熱点灯ありの光源動作を示すタイミングチャートであり、図８は電流値５０％の予熱点灯ありの光源動作を示すタイミングチャートである。
【００５７】
まず図６において、原稿読取動作を行う場合、時刻ｔ１でタイミング制御手段１４はコピーランプ電源１３に点灯開始指示信号を出力し、電流制御手段１７はコピーランプ電源１３に原稿読取動作時の通電電流値（１００％）を出力すると、コピーランプ電源１３は電流値１００％で光源３の通電を開始し、光源３の光量が次第に増加する。このとき光量が所定の閾値、たとえば飽和光量の９０％に到達する時刻ｔ２までが光量立ち上げ時間となる。時刻ｔ２から時刻ｔ３まではランプユニット５が助走する予備時間として確保され、時刻ｔ３から実際の原稿読取動作を行い、時刻ｔ４までが画像読取時間となる。時刻ｔ４でタイミング制御手段１４はコピーランプ電源１３に消灯指示信号を出力し、電流制御手段１７はコピーランプ電源１３に電流値０％を出力し、ランプユニット５の戻り動作を実行する。時刻ｔ５以降は、時刻ｔ１と同様になる。
【００５８】
次に図７は、原稿読取動作の前段階で予熱点灯を行うもので、時刻ｔ１１でタイミング制御手段１４はコピーランプ電源１３に点灯開始指示信号を出力し、電流制御手段１７はコピーランプ電源１３に原稿読取動作時の通電電流値（１００％）を出力すると、コピーランプ電源１３は電流値１００％で光源３の通電を開始し、光源３の光量が次第に増加する。時刻ｔ１２でタイミング制御手段１４はコピーランプ電源１３に消灯指示信号を出力し、電流制御手段１７はコピーランプ電源１３に電流値０％を出力し、時刻ｔ１１から時刻ｔ１２までが予熱点灯時間となる。時刻ｔ１２から時刻ｔ１３までは任意の待機時間にあてられ、時刻ｔ１３からは原稿読取動作に入り、時刻ｔ１６までは図６の時刻ｔ１〜ｔ４に相当する動作となり、時刻ｔ１７で再び予熱点灯を開始している。
【００５９】
次に図８は、原稿読取動作の前段階で電流値５０％の予熱点灯を行うもので、時刻ｔ２１でタイミング制御手段１４はコピーランプ電源１３に点灯開始指示信号を出力し、電流制御手段１７はコピーランプ電源１３に原稿読取動作時の５０％電流値を出力すると、コピーランプ電源１３は電流値５０％で光源３の通電を開始し、光源３の光量が次第に増加する。時刻ｔ２２でタイミング制御手段１４はコピーランプ電源１３に消灯指示信号を出力し、電流制御手段１７はコピーランプ電源１３に電流値０％を出力し、時刻ｔ２１から時刻ｔ２２までが予熱点灯時間となる。時刻ｔ２２から時刻ｔ２３までは任意の待機時間にあてられ、時刻ｔ２３からは原稿読取動作に入り、タイミング制御手段１４はコピーランプ電源１３に点灯開始指示信号を出力し、電流制御手段１７はコピーランプ電源１３に原稿読取動作時の通電電流値（１００％）を出力する。時刻ｔ２３から時刻ｔ２６までは図６の時刻ｔ１〜ｔ４に相当する動作となり、時刻ｔ２７で再び予熱点灯を開始している。
【００６０】
こうして原稿読取動作以外のタイミングで、定期または不定期に光源３を予熱点灯することによって、光源３の温度をある程度高く維持できるため、安定した光量立ち上げ時間を確保できる。
【００６１】
また、予熱点灯時の電流値を、たとえば原稿読取時の光量と比べて５０％程度に制御することによって、光源３の保温に必要以上のエネルギーを節約できるため、省エネルギーが図られる。
【００６２】
図９は、本発明の第５実施形態を示す構成図である。画像読取装置は、図１と同様に、原稿設置台２と、光源３と、ミラー４，６，７と、レンズ９と、ラインセンサ１０と、Ａ／Ｄコンバータ１１と、画像処理部２０などで構成され、さらにコピーランプ電源１３と、タイミング制御手段１４と、電流制御手段１７と、温度センサ１５と、温度計測手段１８が設けられる。
【００６３】
コピーランプ電源１３、タイミング制御手段１４、電流制御手段１７は図５のものと同様であり、重複説明を省く。
【００６４】
温度センサ１５は、ランプユニット５内の光源３の近傍に設置され、光源３の温度を検出する。温度計測手段１８は、ＣＰＵによって動作する処理プログラム等で構成され、温度センサ１５の検出信号に基づいて光源３の温度を監視し、光源温度の計測結果をタイミング制御手段１４および電流制御手段１７へ供給する。
【００６５】
図９の構成においても図７および図８と同様な予熱点灯動作を実現でき、さらに光源温度の計測結果に基づいて予熱点灯時の電流値を変更することによって、光源３の保温に必要以上のエネルギーを節約できるため、消費電力の低減および光量立ち上げ時間の短縮を実現できる。
【００６６】
図１０は、本発明の第６実施形態を示す構成図である。画像読取装置は、図１と同様に、原稿設置台２と、光源３と、ミラー４，６，７と、レンズ９と、ラインセンサ１０と、Ａ／Ｄコンバータ１１と、画像処理部２０などで構成され、さらにコピーランプ電源１３と、タイミング制御手段１４と、電流制御手段１７と、光量計測手段１９と、光源センサ１６が設けられる。
【００６７】
コピーランプ電源１３、タイミング制御手段１４、電流制御手段１７は図５のものと同様であり、重複説明を省く。
【００６８】
光源センサ１６は、ランプユニット５内の光源３の近傍に設置され、光源３の光量を検出する。光量計測手段１９は、光源センサ１６の検出信号に基づいて光源３の光量を監視するとともに、光量の計測結果をタイミング制御手段１４へ供給する。
【００６９】
図１０の構成においても図７および図８と同様な予熱点灯動作を実現でき、さらに光量の計測結果に基づいて予熱点灯時の電流値を変更することによって、光源３の保温に必要以上のエネルギーを節約できるため、消費電力の低減および光量立ち上げ時間の短縮を実現できる。
【００７０】
図１１は、本発明の第７実施形態を示す構成図である。画像読取装置は、図１と同様に、原稿設置台２と、光源３と、ミラー４，６，７と、レンズ９と、ラインセンサ１０と、Ａ／Ｄコンバータ１１と、画像処理部２０などで構成され、さらにコピーランプ電源１３と、タイミング制御手段１４と、電流制御手段１７と、光量計測手段１９が設けられる。
【００７１】
コピーランプ電源１３、タイミング制御手段１４、電流制御手段１７は図５のものと同様であり、重複説明を省く。
【００７２】
光量計測手段１９は、ＣＰＵによって動作する処理プログラム等で構成され、画像処理部２０から供給されるラインセンサ１０の出力信号を解析して光源３の光量を監視するとともに、光量の計測結果をタイミング制御手段１４へ供給する。
【００７３】
図１１の構成においても図７および図８と同様な予熱点灯動作を実現でき、さらに光量の計測結果に基づいて予熱点灯時の電流値を変更することによって、光源３の保温に必要以上のエネルギーを節約できるため、消費電力の低減および光量立ち上げ時間の短縮を実現できる。
【００７４】
【発明の効果】
以上詳説したように本発明によれば、初期動作時において、光源の光量立ち上げ時間を予め計測しておいて、次回以降はこの計測結果と、光源温度計測手段の温度計測結果とに基づいて点灯開始指示信号を出力するタイミングを決定することによって、ランプや電源等のばらつき、機器の個体差、部品の劣化、商用電源の電圧変動、環境温度の変化などに起因して光源の光量立ち上げ時間が変動した場合も、安定した光量で画像読取を実施でき、特に光量立ち上げ時間が延びた場合にも適切に対処できる。その結果、画像読取信号の出力レベルが安定するとともに、従来よりも点灯時間の短縮化が図られ、省エネルギーに寄与する。
【００７５】
また、光源の温度を監視することによって、点灯開始タイミングを精度良く決定することが可能になる。
【００７６】
また、原稿読取動作以外のタイミングで、定期または不定期に光源を予熱点灯することによって、光源の温度をある程度高く維持できるため、安定した光量立ち上げ時間を確保できる。このとき、光源温度の計測結果あるいは光量の計測結果に基づいて予熱点灯時の電流を変更することによって、適正な電流で予熱点灯を行うことができる。
【図面の簡単な説明】
【図１】本発明が適用可能な画像読取装置の一例を示す構成図である
【図２】本発明の第１実施形態を示す構成図である。
【図３】本発明の第２実施形態を示す構成図である。
【図４】本発明の第３実施形態を示す構成図である。
【図５】本発明の第４実施形態を示す構成図である。
【図６】予熱点灯なしの光源動作を示すタイミングチャートである。
【図７】予熱点灯ありの光源動作を示すタイミングチャートである。
【図８】電流値５０％の予熱点灯ありの光源動作を示すタイミングチャートである。
【図９】本発明の第５実施形態を示す構成図である。
【図１０】本発明の第６実施形態を示す構成図である。
【図１１】本発明の第７実施形態を示す構成図である。
【符号の説明】
１  原稿
２  原稿設置台
３  光源
４，６，７  ミラー
５  ランプユニット
８  ミラーユニット
９  レンズ
１０  ラインセンサ
１１  Ａ／Ｄコンバータ
１２  白板
１３  コピーランプ電源
１４  タイミング制御手段
１５  温度センサ
１６  光源センサ
１７  電流制御手段
１８  温度計測手段
１９  光量計測手段
２０  画像処理部
【図１】
0003625419.tif 000002
【図２】
0003625419.tif 000003
【図３】
0003625419.tif 000004
【図４】
0003625419.tif 000005
【図５】
0003625419.tif 000006
【図６】
0003625419.tif 000007
【図７】
0003625419.tif 000008
【図８】
0003625419.tif 000009
【図９】
0003625419.tif 000010
【図１０】
0003625419.tif 000011
【図１１】
0003625419.tif 000012